(57)【要約】【課題】  操作性が良く利便性の高いデジタル画像ファイルの保存及び管理が可能な記録装置を提供する。【解決手段】  フォルダ作成条件設定手段１２１は、所定のデジタルカメラ情報の中からユーザが任意に選択した情報種別によるフォルダ作成条件を設定する。フォルダ自動作成手段１２２は、ハードディスクドライブ２０１へデジタル画像ファイルを保存する際に、フォルダ作成条件設定手段１２１にて設定されるフォルダ作成条件に基づいて振り分け条件が付与されたフォルダをハードディスクドライブ２０１内に自動作成する。保存先フォルダ自動選択手段１２４は、各フォルダの振り分け条件に基づいてデジタル画像ファイルの保存先フォルダを自動選択する。ハードディスクドライブ２０１内のデジタル画像ファイルは、フォルダ作成条件に基づいてフォルダ単位で自動的に整理されて保存される。【選択図】図４
2006203519.tif 000002
【特許請求の範囲】
【請求項１】
デジタルカメラとの双方向情報伝送を実現する情報伝送手段と、
前記デジタルカメラから前記情報伝送手段を介して送信されるデジタル画像ファイルに基づいて被記録材へデジタル画像を記録する記録実行手段と、
前記デジタルカメラから送信されたデジタル画像ファイルが保存可能に配設された専用記憶媒体と、
前記デジタルカメラから送信されたデジタル画像ファイルを前記専用記憶媒体へ自動保存する自動保存制御装置とを備えた記録装置であって、
前記自動保存制御装置は、所定のデジタルカメラ情報の中からユーザが任意に選択した情報種別によるフォルダ作成条件を設定するフォルダ作成条件設定手段と、
前記専用記憶媒体へデジタル画像ファイルを保存する際に、前記フォルダ作成条件に基づいて振り分け条件が付与されたフォルダを前記専用記憶媒体内に自動作成するフォルダ自動作成手段と、
各フォルダに付与されている振り分け条件に基づいてデジタル画像ファイルの保存先フォルダを自動選択する保存先フォルダ自動選択手段とを有している、ことを特徴とした記録装置。
【請求項２】
請求項１において、前記フォルダ作成条件設定手段は、ユーザが所定のデジタルカメラ情報の中から複数の情報を任意に選択して任意に組み合わせて前記フォルダ作成条件を設定可能な構成を有している、ことを特徴とした記録装置。
【請求項３】
請求項１又は２において、前記フォルダ作成条件設定手段は、デジタル画像ファイルの撮影時のカメラ情報による前記フォルダ作成条件を設定可能な構成を有している、ことを特徴とした記録装置。
【請求項４】
請求項１〜３のいずれか１項において、前記自動保存制御装置は、ユーザが任意に選択した情報種別による振り分け条件を付与したフォルダを手動作成可能なフォルダ手動作成手段を有している、ことを特徴とした記録装置。
【請求項５】
請求項１〜４のいずれか１項において、外部記憶媒体からデジタル画像ファイルを読込可能な外部記憶媒体読込手段を備え、前記自動保存制御装置は、前記外部記憶媒体から読み込まれたデジタル画像ファイルを前記専用記録媒体へ自動保存する、ことを特徴とした記録装置。
【請求項６】
デジタルカメラとの双方向情報伝送を実現する情報伝送手段と、前記デジタルカメラから前記情報伝送手段を介して送信されるデジタル画像ファイルに基づいて被記録材へデジタル画像を記録する記録実行手段と、前記デジタルカメラから送信されたデジタル画像ファイルが保存可能に配設された専用記憶媒体とを備えた記録装置の前記デジタルカメラから送信されたデジタル画像ファイルを前記専用記憶媒体へ自動保存する制御をコンピュータに実行させるための自動保存制御プログラムであって、
所定のデジタルカメラ情報の中からユーザが任意に選択した情報種別によるフォルダ作成条件を設定するフォルダ作成条件設定手順と、
前記専用記憶媒体へデジタル画像ファイルを保存する際に、前記フォルダ作成条件に基づいて振り分け条件が付与されたフォルダを前記専用記憶媒体内に自動作成するフォルダ自動作成手順と、
各フォルダに付与されている振り分け条件に基づいてデジタル画像ファイルの保存先フォルダを自動選択する保存先フォルダ自動選択手順とを有している、ことを特徴とした自動保存制御プログラム。
【発明の詳細な説明】
【技術分野】
【０００１】
本発明は、専用記憶媒体と専用記録媒体内へデジタル画像ファイルを自動保存する自動保存制御装置とを備えた記録装置、並びに自動保存制御プログラムに関する。
【背景技術】
【０００２】
近年、デジタルカメラやカメラ付き携帯電話等のデジタル写真撮影の可能な電子機器が広く普及している。このような電子機器のユーザの多くは、大量のデジタル画像ファイルをパーソナルコンピュータ内の記憶装置（ハードディスク）、ＣＤ−Ｒ又はメモリカード等の記憶媒体に保存している。ここで問題となるのは、記憶媒体内に保存されているデジタル画像ファイルが多くなればなるほど、その中から所望のデジタル画像ファイルを見つけ出す作業が煩雑になることである。一般のユーザの多くは、例えばハードディスク内に複数のフォルダを作成し、各フォルダに任意の名称等を付与し、デジタル画像ファイルを撮影日時やイベント名称等ごとに分類して保存している。それによって、大量のデジタル画像ファイルの中から所望のデジタル画像ファイルを探し出す作業に要する労力や時間の削減が可能になる。
【０００３】
ところが、近年の記憶媒体の飛躍的な大容量化と低価格化によって、大容量の記憶媒体が入手しやすくなり、膨大な量のデジタル画像ファイルを所有するユーザが急速に増えつつある。そのため、ユーザ自身が多数のフォルダを作成し、手動で各フォルダへデジタル画像ファイルを振り分ける操作をするとなると、所有するデジタル画像ファイルの分類及び整理だけで膨大な時間と労力を費やさざるを得ないこととなってしまう。
【０００４】
このような課題を解決する従来技術の一例としては、画像情報を入出力制御するための操作内容等に対応する識別コードが記載された操作シートを設け、この操作シートの各操作に対応する識別コードをコード読み取り手段により読み取らせることにより画像情報の入出力制御を行わせる画像ファイリング装置が公知である。識別コードにより自動的に画像情報の入出力制御が行えるので、画像情報の検索が容易に行うことが可能になる（例えば、特許文献１を参照）。
【０００５】
また、他の従来技術の一例としては、設定手段により設定されるフォルダ振り分け条件に基づいて、外部記憶媒体内の画像フォルダを検索し、自動作成される仮想フォルダに対してフォルダ振り分けを行う印刷制御装置が公知である。メモリカード等の外部記憶媒体の中からプリンタ等で印刷したいデジタル画像ファイルを選択する際の時間を短縮することが可能になる（例えば、特許文献２を参照）。
【０００６】
【特許文献１】特開平６−４４３１９号公報
【特許文献２】特開２００４−２７２４９５号公報
【発明の開示】
【発明が解決しようとする課題】
【０００７】
しかしながら、上記特許文献１に開示されている従来技術においては、各デジタル画像ファイルの縮小画像とそれに対応する識別コードを印刷した紙を多数保管しなければならない。そして、所望のデジタル画像ファイルを探し出すためには、多数の紙に印刷された大量の縮小画像の中からユーザが目視で１つ１つの画像を確認しながら探さなければならないため、管理するデジタル画像ファイルが膨大な量である場合には、依然として煩雑である感は否めないと言える。
【０００８】
また、上記特許文献２に開示されている従来技術においては、外部記憶媒体から読み込んだデジタル画像ファイルに基づいて外部記憶媒体ごとに仮想フォルダを作成し、内部記憶媒体又はその外部記憶媒体へ仮想フォルダ情報を記憶する。したがって、複数の外部記憶媒体がある場合には、所望のデジタル画像ファイルがどの外部記憶媒体に保存されているのかを特定することができないため、複数の外部記憶媒体を順番に読み込んで確認するという面倒な作業を繰り返さなければならないという課題が生じる。
【０００９】
そして、近年は、乾電池やリチウムイオン電池パック等の供給可能な電力が有限な電源でも動作するモバイル用途向けの記録装置が急速に普及しつつある。このようなモバイル用途向けの記録装置の普及によって、パーソナルコンピュータの介在しないダイレクトプリント技術等によるデジタル画像プリントは、ＡＣコンセント等のない屋外でも行うことが可能になり、その使用範囲が飛躍的に広がることとなった。そのため、記録装置単体での使用機会が増加しつつあり、操作性が良く利便性の高いデジタル画像ファイルの保存及び管理が記録装置単体で可能な記録装置が求められている。
【００１０】
本発明は、このような状況に鑑み成されたものであり、その課題は、操作性が良く利便性の高いデジタル画像ファイルの保存及び管理が可能な記録装置を提供することにある。
【課題を解決するための手段】
【００１１】
上記課題を達成するため、本発明の第１の態様は、デジタルカメラとの双方向情報伝送を実現する情報伝送手段と、前記デジタルカメラから前記情報伝送手段を介して送信されるデジタル画像ファイルに基づいて被記録材へデジタル画像を記録する記録実行手段と、前記デジタルカメラから送信されたデジタル画像ファイルが保存可能に配設された専用記憶媒体と、前記デジタルカメラから送信されたデジタル画像ファイルを前記専用記憶媒体へ自動保存する自動保存制御装置とを備えた記録装置であって、前記自動保存制御装置は、所定のデジタルカメラ情報の中からユーザが任意に選択した情報種別によるフォルダ作成条件を設定するフォルダ作成条件設定手段と、前記専用記憶媒体へデジタル画像ファイルを保存する際に、前記フォルダ作成条件に基づいて振り分け条件が付与されたフォルダを前記専用記憶媒体内に自動作成するフォルダ自動作成手段と、各フォルダに付与されている振り分け条件に基づいてデジタル画像ファイルの保存先フォルダを自動選択する保存先フォルダ自動選択手段とを有している、ことを特徴とした記録装置である。
【００１２】
デジタルカメラから記録装置へ情報伝送手段を介して送信されたデジタル画像ファイルは、自動保存制御装置によって記録装置の専用記憶媒体へ自動保存される。すなわち、デジタルカメラから記録装置へ情報伝送手段を介してデジタル画像ファイルを送信するだけで、デジタルカメラで撮影したデジタル写真のデジタル画像ファイルを記録装置内へまとめて保存しておくことができる。例えば、デジタルカメラから記録装置へデジタル画像ファイルを送信して被記録材へ記録を実行（いわゆるダイレクトプリント）する際には、被記録材へ記録されたデジタル画像ファイルが全て専用記録媒体に自動保存されるようにすることができる。
【００１３】
また、専用記録媒体へデジタル画像ファイルが自動保存される際には、予めユーザにより任意に設定されるフォルダ作成条件に基づいて、保存されるデジタル画像ファイルに対応する振り分け条件が設定されたフォルダが自動作成される。そして、各フォルダに設定される振り分け条件に基づいてデジタル画像ファイルが自動的に振り分けられて保存される。既に対応する振り分け条件が設定されたフォルダが専用記録媒体内に存在する場合には、そのフォルダに保存される。
【００１４】
これにより、本発明の第１の態様に記載の記録装置によれば、情報伝送手段を介して送信されたデジタル画像ファイルは、記録装置の専用記憶媒体へ自動保存され、専用記録媒体内のデジタル画像ファイルは、フォルダ作成条件に基づいてフォルダ単位で自動的に整理されて保存されるので、操作性が良く利便性の高いデジタル画像ファイルの保存及び管理が可能になるという作用効果が得られる。
【００１５】
本発明の第２の態様は、前述した第１の態様において、前記フォルダ作成条件設定手段は、ユーザが所定のデジタルカメラ情報の中から複数の情報を任意に選択して任意に組み合わせて前記フォルダ作成条件を設定可能な構成を有している、ことを特徴とした記録装置である。
【００１６】
このように、ユーザがデジタルカメラ情報の中から複数の情報を任意に選択して任意に組み合わせてフォルダ作成条件を設定することができるので、各ユーザのニーズに応じたより多彩で高度なフォルダ作成条件を設定することができる。
【００１７】
本発明の第３の態様は、前述した第１の態様又は第２の態様において、前記フォルダ作成条件設定手段は、デジタル画像ファイルの撮影時のカメラ情報による前記フォルダ作成条件を設定可能な構成を有している、ことを特徴とした記録装置である。
【００１８】
例えば、デジタルカメラで撮影されたデジタル画像ファイルがＥｘｉｆ形式等のファイル形式である場合には、デジタル画像ファイルの所定の領域に多種多様な撮影時のカメラ情報が含まれている。例えば、デジタルカメラの機種名、シャッタースピード、絞り値の設定等である。近年は、デジタルカメラの機能が飛躍的に向上するとともに、多様で高度な撮影条件の設定が可能なデジタル一眼レフカメラが広く普及しつつある。そのため、デジタル画像ファイルに含まれる上記の撮影時のカメラ情報に基づいてデジタル画像ファイルを整理して管理したいというニーズも高まりつつある。
【００１９】
そこで、フォルダ作成条件設定手段におけるフォルダ作成条件をデジタル写真の撮影時のカメラ情報により設定可能な構成とすることによって、撮影時のカメラ情報に基づいてデジタル画像ファイルを整理して管理することが可能になる。
【００２０】
本発明の第４の態様は、前述した第１の態様〜第３の態様のいずれかにおいて、前記自動保存制御装置は、ユーザが任意に選択した情報種別による振り分け条件を付与したフォルダを手動作成可能なフォルダ手動作成手段を有している、ことを特徴とした記録装置である。
【００２１】
ユーザが任意に選択した情報種別による振り分け条件を付与したフォルダを手動で作成することができるので、デジタル画像ファイルの管理の自由度が増し、より高度な管理が可能になる。例えば、自動作成されたフォルダのうち特定のフォルダ内にのみ複数のフォルダを手動作成し、フォルダ内のデジタル画像ファイルをさらにユーザの好みに応じて細かく自動分類するといったことも可能になる。
【００２２】
本発明の第５の態様は、前述した第１の態様〜第４の態様のいずれかにおいて、外部記憶媒体からデジタル画像ファイルを読込可能な外部記憶媒体読込手段を備え、前記自動保存制御装置は、前記外部記憶媒体から読み込まれたデジタル画像ファイルを前記専用記録媒体へ自動保存する、ことを特徴とした記録装置である。
【００２３】
このように、デジタルカメラから送信されたデジタル画像ファイルのみならず、不揮発性メモリカード等の外部記憶媒体から読み込んだデジタル画像ファイルについても専用記録媒体に自動保存できる構成とすることによって、デジタルカメラを介することなくデジタル画像ファイルを記録装置内の専用記録媒体に自動保存して管理することが可能になる。
【００２４】
本発明の第６の態様は、デジタルカメラとの双方向情報伝送を実現する情報伝送手段と、前記デジタルカメラから前記情報伝送手段を介して送信されるデジタル画像ファイルに基づいて被記録材へデジタル画像を記録する記録実行手段と、前記デジタルカメラから送信されたデジタル画像ファイルが保存可能に配設された専用記憶媒体とを備えた記録装置の前記デジタルカメラから送信されたデジタル画像ファイルを前記専用記憶媒体へ自動保存する制御をコンピュータに実行させるための自動保存制御プログラムであって、所定のデジタルカメラ情報の中からユーザが任意に選択した情報種別によるフォルダ作成条件を設定するフォルダ作成条件設定手順と、前記専用記憶媒体へデジタル画像ファイルを保存する際に、前記フォルダ作成条件に基づいて振り分け条件が付与されたフォルダを前記専用記憶媒体内に自動作成するフォルダ自動作成手順と、各フォルダに付与されている振り分け条件に基づいてデジタル画像ファイルの保存先フォルダを自動選択する保存先フォルダ自動選択手順とを有している、ことを特徴とした自動保存制御プログラムである。
【００２５】
本発明の第６の態様に記載の自動保存制御プログラムによれば、この自動保存制御プログラムを実行可能な任意の記録装置に、前述した第１の態様に記載の発明と同様の作用効果をもたらすことができる。
【発明を実施するための最良の形態】
【００２６】
以下、本発明の実施の形態を図面に基づいて説明する。  
まず、本発明に係る「記録装置」の一例としてのインクジェット式記録装置の概略構成について説明する。
【００２７】
図１は、本発明に係るインクジェット式記録装置の要部平面図であり、図２はその側面図である。図３は、本発明に係るインクジェット式記録装置と「情報処理装置」とで構成される記録システムの概略のブロック図である。  
インクジェット式記録装置５０には、「被記録材」としての記録紙Ｐにインクを噴射して記録を行う記録ヘッド６２を記録紙Ｐに対して主走査方向Ｘに走査させる「主走査駆動手段」として、主走査方向Ｘに移動可能にキャリッジガイド軸５１に軸支されたキャリッジ６１が設けられている。キャリッジ６１には、記録ヘッド６２と後述するＰＷセンサ３４とが搭載されており、ＣＲモータ６３（図３）の回転駆動力が図示していない無端ベルトによるベルト伝達機構によって伝達されて主走査方向Ｘに往復動する。記録ヘッド６２のヘッド面と対向する位置には、記録ヘッド６２のヘッド面と記録紙Ｐとのギャップを規定するプラテン５２が設けられている。  
キャリッジ６１の主走査方向Ｘへの往復動領域の一端側の外側には、公知のキャッピング装置５９が設けられている。記録を実行しない待機状態においては、キャリッジ６１がキャッピング装置５９の上まで移動して停止し、キャッピング装置５９に配設されているキャップＣＰによって記録ヘッド６２のヘッド面が封止される。このキャリッジ６１の停止位置は、ホームポジションＨＰとして規定される。
【００２８】
また、インクジェット式記録装置５０には、記録ヘッド６２を記録紙Ｐに対して副走査方向Ｙに走査させる「副走査駆動手段」として、記録紙Ｐを副走査方向Ｙに搬送する搬送駆動ローラ５３と搬送従動ローラ５４が設けられている。搬送駆動ローラ５３は、ＰＦモータ５８（図３）の回転駆動力が歯車伝達されて回転し、搬送駆動ローラ５３の回転により、記録紙Ｐは副走査方向Ｙに搬送される。搬送従動ローラ５４は、複数設けられており、それぞれ個々に搬送駆動ローラ５３に付勢され、記録紙Ｐが搬送駆動ローラ５３の回転により搬送される際に、記録紙Ｐに接しながら記録紙Ｐの搬送に従動して回転する。搬送駆動ローラ５３の外周面には、高摩擦抵抗を有する皮膜が施されている。搬送従動ローラ５４によって、搬送駆動ローラ５３の外周面に押しつけられた記録紙Ｐは、その外周面の摩擦抵抗によって搬送駆動ローラ５３の外周面に密着し、搬送駆動ローラ５３の回転によって副走査方向に搬送される。インクジェット記録装置５０の「記録実行手段」は、上述した「主走査駆動手段」と「副走査駆動手段」とで構成され、キャリッジ６１とプラテン５２の間に記録紙Ｐを副走査方向Ｙに所定の搬送量で搬送する動作と、記録ヘッド６２を主走査方向Ｘに一往復させる間に記録ヘッド６２から記録紙Ｐにインクを噴射する動作とを交互に繰り返すことによって記録紙Ｐに記録が行われる。
【００２９】
搬送駆動ローラ５３の副走査方向Ｙの上流側には、多数の記録紙Ｐを積重可能な「被記録材積重手段」としての給紙トレイ５７が配設されている。給紙トレイ５７は、例えば普通紙やフォト紙等の記録紙Ｐを給紙（給送）可能な構成となっている。給紙トレイ５７の近傍には、給紙トレイ５７に積重されている記録紙Ｐの最上位の記録紙Ｐを「記録実行手段」へ自動給送する「自動給送手段」としてのＡＳＦ（オート・シート・フィーダー）が設けられている。ＡＳＦは、給紙トレイ５７に設けられた給紙ローラ５７ｂ及び図示してない分離パッドを有する自動給紙機構である。給紙ローラ５７ｂは、給紙トレイ５７の一方側に配置されている。記録紙ガイド５７ａは、記録紙Ｐの幅に合わせて幅方向に摺動可能に給紙トレイ５７に設けられている。そして、ＰＦモータ５８（図３）の回転駆動力が歯車伝達されて回転する給紙ローラ５７ｂの回転駆動力と、分離パッドの摩擦抵抗により、給紙トレイ５７に置かれた記録紙Ｐが給紙される。その際に、複数の記録紙Ｐが一度に給紙されることなく最上位の記録紙Ｐのみが正確に分離されて一枚ずつ自動給紙されるように構成されている。給紙ローラ５７ｂと搬送駆動ローラ５３との間には、公知の技術による紙検出器３３が配設されている。
【００３０】
一方、記録実行後の記録紙Ｐを排紙する手段として、「排出駆動ローラ」としての排紙駆動ローラ５５と排紙従動ローラ５６とが設けられている。排紙駆動ローラ５５は、ＰＦモータ５８（図３）の回転駆動力が歯車伝達されて回転し、排紙駆動ローラ５５の回転により、記録実行後の記録紙Ｐは副走査方向Ｙに排紙される。排紙従動ローラ５６は、周囲に複数の歯を有し、各歯の先端が記録紙Ｐの記録面に点接触するように鋭角的に尖った歯付きローラになっている。複数の排紙従動ローラ５６は、それぞれ個々に排紙駆動ローラ５５に付勢され、記録紙Ｐが排紙駆動ローラ５５の回転により排紙される際に記録紙Ｐに接して記録紙Ｐの排紙に従動して回転する。  
そして、給紙ローラ５７ｂや搬送駆動ローラ５３及び排紙駆動ローラ５５を回転駆動するＰＦモータ５８（図３）、並びにキャリッジ６１を主走査方向に駆動するＣＲモータ６３（図３）は、後述する記録制御部１００により駆動制御される。また、記録ヘッド６２も同様に、記録制御部１００により駆動制御されて記録紙Ｐの表面にインクを噴射する。
【００３１】
引き続き図１〜図３を参照しながらインクジェット式記録装置５０と「情報処理装置」とで構成される記録システム１０、並びに「記録制御装置」としての記録制御部１００について説明する。  
「記録制御装置」としての記録制御部１００は、ＲＯＭ１０１、ＲＡＭ１０２、ＡＳＩＣ（特定用途向け集積回路）１０３、ＭＰＵ１０４、「不揮発性記憶媒体」としての不揮発性メモリ１０５、ＰＦモータドライバ１０６、ＣＲモータドライバ１０７及びヘッドドライバ１０８を備えている。ＭＰＵ１０４には、ＡＳＩＣ１０３を介して搬送駆動ローラ５３の回転量を検出する「回転量検出手段」としてのロータリエンコーダ３１、キャリッジ６１の移動量を検出する「キャリッジ移動量検出手段」としてのリニアエンコーダ３２、搬送される記録紙Ｐの先端及び後端を検出する紙検出器３３、主走査方向Ｘの記録紙Ｐの端部を検出するためのＰＷセンサ３４、インクジェット式記録装置５０の電源をＯＮ／ＯＦＦするための電源スイッチ３５、及び「記録実行手段」による記録紙Ｐへの記録開始操作をするための記録操作スイッチ３６の出力信号が入力される。
【００３２】
公知のロータリエンコーダ３１は、搬送駆動ローラ５３の回転に連動して回転するロータリスケール３１１と、ロータリスケール３１１の外周に沿って等間隔に形成されているスリットを検出するロータリスケールセンサ３１２とを有している（図２）。搬送駆動ローラ５３の回転に伴い変化するロータリスケールセンサ３１２の出力信号は、ＡＳＩＣ１０３を介してＭＰＵ１０４へ出力される。  
公知のリニアエンコーダ３２は、キャリッジ６１の近傍に主走査方向Ｘと略平行に配置されたリニアスケール３２１と、キャリッジ６１に搭載されたリニアスケール３２１に等間隔に形成されているスリットを検出するリニアスケールセンサ３２２とを有している（図２）。キャリッジ６１の主走査方向Ｘの移動量に応じたパルスの周期が移動速度に伴い変化するリニアスケールセンサ３２２の出力信号は、ＡＳＩＣ１０３を介してＭＰＵ１０４へ出力される。
【００３３】
公知の紙検出器３３は、立位姿勢への自己復帰習性が付与され、かつ記録紙Ｐの搬送方向（副走査方向Ｙ）にのみ回動し得るよう記録紙Ｐの搬送経路内に突出する状態で枢支されたレバーを有し、このレバーの先端が記録紙Ｐに押されることでレバーが回動し、それによって記録紙Ｐが検出される構成を成す検出器である（図２）。紙検出器３３は、給紙ローラ５７ｂより給紙された記録紙Ｐの始端位置及び終端位置を検出し、その検出信号は、ＡＳＩＣ１０３を介してＭＰＵ１０４へ出力される。ＰＷセンサ３４は、非接触の光学式センサで構成されており、記録紙Ｐの主走査方向Ｘの端部位置（記録紙Ｐの側端位置）を検出し、その検出信号は、ＡＳＩＣ１０３を介してＭＰＵ１０４へ出力される。紙検出器３３及びＰＷセンサ３４の出力信号に基づいて記録紙Ｐの搬送位置や記録紙Ｐのサイズ等がＭＰＵ１０４において演算される。
【００３４】
記録制御部１００のシステムバスには、ＲＯＭ１０１、ＲＡＭ１０２、ＡＳＩＣ１０３、ＭＰＵ１０４及び不揮発性メモリ１０５が接続されている。ＭＰＵ１０４は、インクジェット式記録装置５０の記録制御を実行する為の演算処理やその他必要な演算処理を行う。ＲＯＭ１０１には、ＭＰＵ１０４によるインクジェット式記録装置５０の制御に必要な記録制御プログラム（ファームウェア）等が格納されており、記録制御プログラムの処理に必要な各種データ等は不揮発性メモリ１０５に記憶されている。ＲＡＭ１０２は、ＭＰＵ１０４の作業領域や記録データ等の一次格納領域として用いられる。  
ＡＳＩＣ１０３は、ＤＣモータであるＰＦモータ５８及びＣＲモータ６３の速度制御、並びに記録ヘッド６２の駆動制御を行う為の制御回路を有している。ＭＰＵ１０４から送られてくる制御命令、ロータリエンコーダ３１の出力信号、及びリニアエンコーダ３２の出力信号に基づいて、ＰＦモータ５８及びＣＲモータ６３の速度制御を行う為の各種演算を行い、その演算結果に基づくモータ制御信号をＰＦモータドライバ１０６及びＣＲモータドライバ１０７へ送出する。また、ＭＰＵ１０４から送出される記録データ等に基づいて、記録ヘッド６２の制御信号を演算生成してヘッドドライバ１０８へ送出して記録ヘッド６２を駆動制御する。
【００３５】
ＡＳＩＣ１０３は、「情報処理装置」としてのパーソナルコンピュータ３０１、デジタルカメラ３０２或いは携帯電話端末３０３等との情報伝送を実現する「情報伝送手段」としてカードＩＦ１１１、ホストＩＦ１１２及びデバイスＩＦ１１３を有している。  
カードＩＦ１１１は、「外部記憶媒体読込手段」としてのカードスロット２００に挿入される不揮発性メモリカードやＰＣカード等のカードインタフェースを実現する。カードスロット２００にメモリカードが挿入された場合には、メモリカードのデータの読み書きを可能にし、カードスロット２００に赤外線通信インタフェースカードが挿入された場合には、携帯電話端末３０３等の赤外線通信機能を有する電子機器との赤外線通信インタフェースを実現する。  
ホストＩＦ１１２は、ホスト装置接続用のＵＳＢコネクタ３７に接続されるパーソナルコンピュータ（ＰＣ）３０１等のホスト装置とのＵＳＢインタフェースを実現する。ＵＳＢコネクタ３７は、インクジェット式記録装置５０の背面側に配設されている（図２）。  
デバイスＩＦ１１３は、デバイス接続用のＵＳＢコネクタ３８に接続されるデジタルカメラ（ＤＳＣ）３０２等のＵＳＢデバイスとのＵＳＢインタフェースを実現する。ＵＳＢコネクタ３８は、デジタルカメラ３０２等のＵＳＢデバイスの着脱が容易に行えるようにインクジェット式記録装置５０の前面側に配設されている（図２）。
【００３６】
インクジェット式記録装置５０は、「専用記憶媒体」としてのハードディスクドライブ２０１を備えている。ハードディスクドライブ２０１は、ＡＳＩＣ１０３に接続されており、カードＩＦ１１１、ホストＩＦ１１２又はデバイスＩＦ１１３を介して外部から入力したデジタル画像ファイルが保存される。また、保存されたデジタル画像ファイルは、記録制御部１００からも外部から（例えば、ホストＩＦ１１２に接続されたパーソナルコンピュータ３０１等のホスト装置から）も保存されているデジタル画像ファイルを任意に読込及び削除等することができる。
【００３７】
つづいて、「記録制御装置」並びに本発明に係る「自動保存制御装置」としての記録制御部１００にて実行されるデジタル画像ファイルの自動保存制御について説明する。
【００３８】
図４は、本発明に係るデジタル画像ファイルの自動保存制御を示した機能ブロック図である。  
本発明に係る「自動保存制御装置」としての記録制御部１００は、デジタルカメラ（ＤＳＣ）３０２との双方向情報伝送を実現する「情報伝送手段」としてのデバイスＩＦ１１３を介してデジタルカメラ３０２からデジタル画像ファイルを受信した際には、記録紙Ｐへの記録を実行するとともに、記録紙Ｐへ記録したデジタル画像ファイルを「専用記憶媒体」としてのハードディスクドライブ２０１へ自動的に保存する。例えば、デジタルカメラ３０２からインクジェット式記録装置５０へデジタル画像ファイルを送信して記録紙Ｐへ記録を実行（いわゆるダイレクトプリント）する際には、記録紙Ｐへ記録されたデジタル画像ファイルが全てハードディスクドライブ２０１に自動保存される。
【００３９】
また、外部記憶媒体からデジタル画像ファイルを読込可能な「外部記憶媒体読込手段」としてのカードスロット２００に挿入された「外部記憶媒体」としての不揮発性メモリカード３０４からカードＩＦ１１１を介してデジタル画像ファイルを読み込んだ際には、同様に記録紙Ｐへの記録を実行するとともに、記録紙Ｐへ記録したデジタル画像ファイルをハードディスクドライブ２０１へ自動的に保存する。デジタルカメラ３０２を介することなくデジタル画像ファイルをハードディスクドライブ２０１に自動保存して管理することができる。
【００４０】
フォルダ作成条件設定手段１２１は、所定のデジタルカメラ情報の中からユーザが任意に選択した情報種別によるフォルダ作成条件を設定する。具体的には、インクジェット式記録装置５０に設けられた操作パネル等（図示せず）から設定する。尚、ホストＩＦ１１２に接続されたパーソナルコンピュータ３０１等のホスト装置からも設定可能にしても良い。また、フォルダ作成条件設定手段１２１は、所定のデジタルカメラ情報の中から複数の情報を任意に選択して任意に組み合わせてフォルダ作成条件を設定可能な構成を有しており、多彩で高度なフォルダ作成条件を設定することができる。
【００４１】
フォルダ自動作成手段１２２は、ハードディスクドライブ２０１へデジタル画像ファイルを保存する際に、フォルダ作成条件設定手段１２１にて設定されるフォルダ作成条件に基づいて振り分け条件が付与されたフォルダをハードディスクドライブ２０１内に自動作成する。保存先フォルダ自動選択手段１２４は、各フォルダに付与されている振り分け条件に基づいてデジタル画像ファイルの保存先フォルダを自動選択する。
【００４２】
このように、ハードディスクドライブ２０１内のデジタル画像ファイルは、フォルダ作成条件に基づいてフォルダ単位で自動的に整理されて保存される。また、フォルダ手動作成手段１２３は、フォルダ自動作成手段１２２により自動作成されるフォルダとは別個にユーザが任意に選択した情報種別による振り分け条件を付与したフォルダの手動作成を可能にする。ユーザが任意に選択した情報種別による振り分け条件を付与したフォルダを手動で作成することができるので、デジタル画像ファイルの管理の自由度が増し、より高度な管理が可能になる。
【００４３】
図５は、フォルダ作成条件に基づいてフォルダ自動作成手段１２２によりハードディスクドライブ２０１内に作成されたフォルダの階層構造の第１実施例を示したものである。  
例えば、デジタルカメラ３０２で撮影されたデジタル画像ファイルがＥｘｉｆ形式等のファイル形式である場合には、デジタル画像ファイルの所定の領域に、撮影日時やデジタルカメラのメーカ名、機種名等の多種多様な情報が含まれている。フォルダ自動作成手段１２２は、デジタル画像ファイルがハードディスクドライブ２０１に保存される際に、そのデジタル画像ファイルのこれらの情報を参照し、これらの情報に対応するフォルダをフォルダ作成条件に基づいてハードディスクドライブ２０１内に作成する。
【００４４】
当該実施例においては、デジタルカメラ３０２のメーカ名ごとにフォルダが作成され、メーカ名のフォルダには、そのメーカ名のデジタルカメラの機種名（ＤＳＣ名）ごとのフォルダが作成され、以下そのデジタル画像ファイルの撮影日の情報から年、月、日のフォルダが図示の如く階層構造で作成され、該当するフォルダへデジタル画像ファイルが保存される。
【００４５】
尚、複数のフォルダの振り分け条件に該当するデジタル画像ファイルについては、それぞれのフォルダにそのデジタル画像ファイルを複製して保存しても良いが、例えば、いずれか１つのフォルダにデジタル画像ファイルを保存するとともに、他のフォルダには、そのデジタル画像ファイルの仮想ファイル（いわゆるショートカット等）を保存するようにしても良い。
【００４６】
図６は、フォルダ作成条件に基づいてフォルダ自動作成手段１２２によりハードディスクドライブ２０１内に作成されたフォルダの階層構造の第２実施例を示したものである。  
このように、撮影日の情報から年、月、日のフォルダが作成され、撮影日ごとにデジタルカメラの機種名（ＤＳＣ名）のフォルダが作成されるようにしても良い。
【００４７】
さらに、フォルダ作成条件設定手段１２１は、デジタルカメラ３０２で撮影したデジタル画像ファイルの撮影時のカメラ情報によるフォルダ作成条件を設定可能な構成を有している。
【００４８】
図７は、Ｅｘｉｆ形式のデジタル画像ファイルに含まれる撮影時のカメラ情報に関するタグの一部を示したものである。  
デジタル画像ファイルのファイル形式の一例としてのＥｘｉｆは、デジタル画像ファイルを記録するためのファイル形式を規定したものであり、デジタル画像ファイルの中に撮影時のカメラ情報を記述できるようになっている。例えば、撮影された日時や機種名、シャッタースピード、絞り値の設定といった撮影に関する情報と、主画像のデータを正しく読み取るための圧縮モード、色空間、画素数などの情報等である。
【００４９】
デジタル画像ファイルのファイル形式がＥｘｉｆ形式等である場合には、デジタル画像ファイルに含まれる多種多様の撮影時のカメラ情報（図７）に基づいてデジタル画像ファイルを整理して管理することが可能になる。例えば、シャッタースピード１／３０ｓｅｃと絞り値Ｆ２〜Ｆ５．６のＡＮＤ条件にストロボ発光条件をＯＲ条件とする振り分け条件（図４）を設定したフォルダが自動又は手動で作成されると、そのフォルダには、上記の振り分け条件に該当するデジタル画像ファイルのみが保存される。それによって、ハードディスクドライブ２０１内に大量に保存されているデジタル画像ファイルに対して、ユーザごとに異なるデジタル画像ファイルの用途に応じた詳細で高度な管理が可能になる。
【００５０】
尚、フォルダの振り分け条件をフォルダごとに参照可能な構成とすると、各フォルダ内のデジタル画像ファイルがどのような条件で振り分けられて保存されているのかを容易に特定でき、利便性が向上するのでより好ましいと言える。また、参照しているフォルダの振り分け条件を任意に変更可能な構成としても良い。
【００５１】
以下、「専用記憶媒体」としてのハードディスクドライブ２０１を備えたインクジェット式記録装置５０におけるデジタル画像ファイルの保存及び管理手順について説明する。
【００５２】
図８は、フォルダ作成条件設定手段１２１におけるフォルダ作成条件の設定手順（フォルダ作成条件設定手順）を示したフローチャートである。  
まず、第１設定項目の設定条件をデジタルカメラ３０２のメーカ名や機種名、撮影日時或いは撮影時のカメラ情報等の中から選択又は複数選択した項目の論理式による組み合わせ等を設定する（ステップＳ１）。選択及び設定した内容を変更する場合には（ステップＳ２でＮｏ）、第１設定項目の設定（ステップＳ１）へ戻り、選択及び設定した内容で第１設定項目を決定（ステップＳ１でＹｅｓ）したら、つづいて、第２設定項目の設定条件の選択及び設定をする（ステップＳ３）。以下、同様にして第２〜第Ｎまでの設定項目の設定を行う（ステップＳ３〜Ｓ８）。この第１〜第Ｎまでの設定項目は、ハードディスクドライブ２０１内に作成するフォルダ階層の階層ごとに割り当てられている。
【００５３】
図９は、フォルダ作成条件に基づいてフォルダを自動作成し、デジタル画像ファイルを自動振り分け保存する手順を示したフローチャートである。  
まず、ハードディスクドライブ２０１に保存するデジタル画像ファイルの１つを選択する（ステップＳ１１）。つづいて、選択したデジタル画像ファイルに含まれている情報（メーカ名や機種名、撮影日時或いは撮影時のカメラ情報等）を参照し、第ｎ設定項目の情報があるか否かを判定する（ステップＳ１２）。ｎは、初期値が１に設定され、最初に第１設定項目の情報があるか否かが判定される。参照したデジタル画像ファイルに第ｎ設定項目（第１設定項目）の情報がない場合には（ステップＳ１２でＮｏ）、つづいて、「その他」フォルダがハードディスクドライブ２０１内に既にあるか否かを判定する（ステップＳ１３）。
【００５４】
「その他」フォルダがハードディスクドライブ２０１内にない場合には（ステップＳ１３でＮｏ）、「その他」フォルダをハードディスクドライブ２０１内に作成（フォルダ自動作成手順）して（ステップＳ１４）、デジタル画像ファイルを「その他」フォルダへ移動させ（ステップＳ１５）、「その他」フォルダに保存する（ステップＳ１６：保存先フォルダ自動選択手順）。「その他」フォルダがハードディスクドライブ２０１内に既にある場合には（ステップ１３でＹｅｓ）、そのままデジタル画像ファイルを「その他」フォルダへ移動させ（ステップＳ１５）、「その他」フォルダに保存する（ステップＳ１６：保存先フォルダ自動選択手順）。そして、次のデジタル画像ファイル（保存先フォルダの確定していないデジタル画像ファイル）のがあるか否かを判定し（ステップＳ１７）、次のデジタル画像ファイルがある場合には（ステップＳ１７でＹｅｓ）、ステップＳ１１に戻り、次のデジタル画像ファイルがない場合には（ステップＳ１７でＮｏ）、そのまま当該手順を終了する。
【００５５】
一方、デジタル画像ファイルに第ｎ設定項目（第１設定項目）の情報がある場合には（ステップＳ１２でＹｅｓ）、つづいて、第ｎ階層（第１階層）に該当フォルダがあるか否かを判定する（ステップＳ１８）。例えば、第１設定項目とフォルダ階層の第１階層とが対応しており、フォルダ作成条件として「メーカ名」が選択されている場合には、デジタル画像ファイルの情報に含まれている「メーカ名」に該当する「メーカ名」のフォルダがあるか否かを判定する。
【００５６】
第ｎ階層（第１階層）に該当フォルダがない場合には（ステップＳ１８でＮｏ）、該当フォルダを作成し（ステップＳ１９：フォルダ自動作成手順）、そのフォルダへデジタル画像ファイルを移動させる（ステップＳ２０：保存先フォルダ自動選択手順）。例えば、フォルダ作成条件として「メーカ名」が選択されている場合には、デジタル画像ファイルの情報に含まれる「メーカ名」に該当する「メーカ名」のフォルダを作成し、そのフォルダへデジタル画像ファイルを移動させる。第ｎ階層（第１階層）に該当フォルダがある場合には（ステップＳ１８でＹｅｓ）、そのままデジタル画像ファイルを該当フォルダへ移動させる（ステップＳ２０）。
【００５７】
つづいて、第ｎ＋１設定項目（第２設定項目）の情報があるか否かを判定する（ステップＳ２１）。例えば、第２設定項目とフォルダ階層の第２階層とが対応しており、フォルダ作成条件として「機種名」が選択されている場合には、デジタル画像ファイルに「機種名」の情報があるか否かを判定する。デジタル画像ファイルに第ｎ＋１設定項目（第２設定項目）の情報がある場合には（ステップＳ２１でＹｅｓ）、ｎの値をインクリメント（ｎ＝ｎ＋１）して（ステップＳ２３）、ステップＳ１２へ戻る。一方、デジタル画像ファイルに第ｎ＋１設定項目（第２設定項目）の情報がない場合には（ステップＳ２１でＮｏ）、第ｎ階層（第１階層）の該当フォルダにデジタル画像ファイルを保存する（ステップＳ２２）。
【００５８】
つづいて、次のデジタル画像ファイル（保存先フォルダの確定していないデジタル画像ファイル）のがあるか否かを判定し（ステップＳ１７）、次のデジタル画像ファイルがある場合には（ステップＳ１７でＹｅｓ）、ステップＳ１１に戻る。フォルダ作成条件に該当する情報がある限り、最大で第Ｎ設定項目のフォルダ作成条件まで上記と同様の手順を繰り返してフォルダの作成及びフォルダの移動を繰り返してデジタル画像ファイルの保存先を確定させて保存する。そして、次のデジタル画像ファイル（保存先フォルダの確定していないデジタル画像ファイル）がなくなった時点で（ステップＳ１７でＮｏ）、そのまま当該手順を終了する。
【００５９】
このようにして、インクジェット式記録装置５０単体で操作性が良く利便性の高いデジタル画像ファイルの保存及び管理が可能になる。
【００６０】
尚、本発明は上記実施例に限定されることなく、特許請求の範囲に記載した発明の範囲内で、種々の変形が可能であり、それらも本発明の範囲内に含まれるものであることは言うまでもない。
【図面の簡単な説明】
【００６１】
【図１】本発明に係るインクジェット式記録装置の概略の平面図である。
【図２】本発明に係るインクジェット式記録装置の概略の側面図である。
【図３】本発明に係る記録システムの概略のブロック図である。
【図４】デジタル画像ファイルの自動保存制御を示した機能ブロック図である。
【図５】フォルダの階層構造の第１実施例を示したものである。
【図６】フォルダの階層構造の第２実施例を示したものである。
【図７−１】撮影時のカメラ情報に関するタグの一部を示したものである。
【図７−２】撮影時のカメラ情報に関するタグの一部を示したものである。
【図８】フォルダ作成条件の設定手順を示したフローチャートである。
【図９】フォルダを自動作成する手順を示したフローチャートである。
【符号の説明】
【００６２】
１０  記録システム、５０  インクジェット式記録装置、５１  キャリッジガイド軸、５２  プラテン、５３  搬送駆動ローラ、５４  搬送従動ローラ、５５  排紙駆動ローラ、５６  排紙従動ローラ、５７  給紙トレイ、５７ｂ  給紙ローラ、５８  ＰＦモータ、６１  キャリッジ、６２  記録ヘッド、６３  ＣＲモータ、１００  記録制御部、１０１  ＲＯＭ、１０２  ＲＡＭ、１０３  ＡＳＩＣ、１０４  ＭＰＵ、１０５  不揮発性メモリ、１０６  ＰＦモータドライバ、１０７  ＣＲモータドライバ、１０８  ヘッドドライバ、２００  カードスロット、２０１  ハードディスクドライブ、３０１  パーソナルコンピュータ、３０２  デジタルカメラ、Ｐ  記録紙、Ｘ  主走査方向、Ｙ  副走査方向
【図１】
2006203519.tif 000003
【図２】
2006203519.tif 000004
【図３】
2006203519.tif 000005
【図４】
2006203519.tif 000006
【図５】
2006203519.tif 000007
【図６】
2006203519.tif 000008
【図７−１】
2006203519.tif 000009
【図７−２】
2006203519.tif 000010
【図８】
2006203519.tif 000011
【図９】
2006203519.tif 000012